(57)【要約】【課題】  電気的圧縮コネクタを提供する。【解決手段】  本発明は、ハウジングと；該ハウジングによって支持される少なくとも１つの導電要素であって、第１の導電パッド領域と嵌合する第１のコンタクト領域と、第２の導電パッド領域と嵌合する第２のコンタクト領域と、前記第１と第２の導電パッド領域との電気的接続を生成するための第２の電気的装置の電気的配線と接触する第３のコンタクト領域とを含む導電要素を備える、第１の電気的装置と第２の電気的装置の回路の配線との間の接続を行う電気的コネクタを提供する。該導電要素は前記ハウジングによって支持されており、弾性的に可動に前記第１の導電パッド領域と圧縮嵌合する第１のコンタクト領域と、弾性的に可動に前記第２のパッド領域と圧縮嵌合する第２のコンタクト領域を少なくとも提供する。各第１と第２のコンタクト領域は離れる方向に可動であるが、前記コンタクト領域が嵌合する各パッド領域の方向へ弾性的にバイアスされている。【特許請求の範囲】
【請求項１】
第１の電気的装置と第２の電気的装置の回路の配線との間の接続を行う電気的コネクタであって、該第１の電気的装置は互いに平行でない２つの面を含む種類のもので、該２つの面の第１の面上には第１の導電パッド領域が配置され、該２つの面の第２の面上には第２の導電パッド領域が配置されており、前記第１と第２の導電パッド領域は互いに電気的に接続しており、上記電気的コネクタは：
ハウジングと、
該ハウジングによって支持される少なくとも１つの導電要素であって、
第１の導電パッド領域と嵌合する第１のコンタクト領域と、
第２の導電パッド領域と嵌合する第２のコンタクト領域と、
前記第１と第２の導電パッド領域との電気的接続を生成するための第２の電気的装置の電気的配線と接触する第３のコンタクト領域とを含む導電要素を備え、
該導電要素は前記ハウジングによって支持されており、弾性的に可動に前記第１の導電パッド領域と圧縮嵌合する第１のコンタクト領域と、弾性的に可動に前記第２のパッド領域と圧縮嵌合する第２のコンタクト領域を少なくとも提供し、各第１と第２のコンタクト領域は前記第１、第２のコンタクト領域から離れる方向に可動であり、前記コンタクト領域が嵌合する各パッド領域の方向へ弾性的にバイアスされている、電気的コネクタ。
【請求項２】
前記第１のコンタクト領域は、第２のコンタクト領域が前記ハウジングに対して歪む経路に非平行な経路に沿って、該ハウジングに対して歪む、請求項１に記載の電気的コネクタ。
【請求項３】
前記第１のコンタクト領域が弾性的に移動可能な経路は、前記第２のコンタクト領域が弾性的に移動可能な経路を実質的に横断する、請求項１または２に記載の電気的コネクタ。
【請求項４】
前記第１のコンタクト領域が弾性的に移動可能な経路は、前記第２のコンタクト領域が弾性的に移動可能な経路に対して実質的に垂直である、請求項１ないし３のいずれかに記載の電気的コネクタ。
【請求項５】
前記導電要素は安全な方法でハウジングに嵌合できる固定領域を含み、（ａ）前記固定領域から離れた領域にまたはその方向に前記第１のコンタクト領域を含む第１の脚と、（ｂ）前記固定領域から離れた領域にまたはその方向に前記第２のコンタクト領域を含む第２の脚を有し、これらの脚は前記固定領域から弾性的に移動可能に配置されている、請求項１ないし４のいずれかに記載の電気的コネクタ。
【請求項６】
第１のコンタクト領域は前記第１の脚によって、前記第１の導電パッドが第１の導電パッド領域の上方向への前記第１のコンタクト領域のわずかな動きにより前記第１のコンタクト領域上に押し込まれるようにして前記第１の導電パッド領域と嵌合するように配置され、および、第２のコンタクト領域は前記第２の脚によって、第２の導電パッド領域の上方向への前記第２のコンタクト領域の動きにより圧縮されて前記第２の導電パッド領域と嵌合するように配置される、請求項５に記載の電気的コネクタ。
【請求項７】
第１の電気的装置保持手段は前記ハウジングと固定して提供され、前記保持手段は、第１と第２のコンタクト領域がそれぞれ第１と第２の導電パッド領域と圧縮により嵌合することによって前記第２の電気的装置を保持するような形で、前記第２の電気的装置の少なくとも一部を受容できる、請求項１または６のいずれかに記載の電気的コネクタ。
【請求項８】
前記第１の電気的装置保持手段は、前記第１の導電パッド領域が前記第１のコンタクト領域の弾性的な移動の経路の方向と平行な方向において前記第１のコンタクト領域と嵌合する方向に進むことができ、および、前記第２の導電パッド領域が第２コンタクト領域に対してスライドするようにして該領域と嵌合する方向に進むことができるような形で、前記第１の電気的装置の少なくとも一部を受容でき、前記進行は前記第２コンタクト領域の弾性的な移動の前記経路に沿った方向における該領域の移動も含む、請求項７に記載の電気的コネクタ。
【請求項９】
前記第２の脚は、前記第２のコンタクト領域の歪みの経路に対して傾斜している領域を含み、これは、第２の面が非平行方向に移動できる傾斜を提供し、よって前記第２コンタクト領域が、前記第１の電気的装置が第２コンタクト領域と嵌合している間にその弾性的移動の経路に沿って外れる、請求項５ないし８のいずれかに記載の電気的コネクタ。
【請求項１０】
前記第１と第２のコンタクト領域は、前記第１の脚の面が前記第２の脚の面に平行である面内の経路に沿ってそれぞれ移動できる請求項５ないし８のいずれかに記載の電気的コネクタ。
【請求項１１】
前記ハウジングは前記第２の電気的装置に永久的に取り付けられ、さらに解放可能に嵌合して前記第１の電気的装置を受容することができる、請求項１ないし９のいずれかに記載の電気的コネクタ。
【請求項１２】
前記ハウジングは、前記第１と第２のコンタクト領域が対応する単一のＰＣＢの第１と第２の導電パッド領域とそれぞれ嵌合するように、離間して列状に配置された複数の前記導電要素を有する、請求項１ないし１０のいずれかに記載の電気的コネクタ。
【請求項１３】
導電要素の形状は導電要素の形状は型押しされたシート金属材料の折り畳みによって定義される、請求項１ないし１２のいずれかに記載の電気的コネクタ。
【請求項１４】
ＰＣＢの電気的な配線と第２の電気的装置の配線との間で電気的接続を提供するために、シート金属材料で形成された電気的コネクタであって、前記電気的コネクタは、
第２の電気的装置に嵌合する搭載セクションから延長する第１の脚上に提供されるまたは該第一の脚により支持される第１のコンタクト領域であって、ＰＣＢの第１の面によって嵌合する間第１の経路に沿う方向に弾性的に移動できる前記第１のコンタクト領域と、
前記搭載セクションから延長する第２の脚上に提供されるまたは該第一の脚により支持される第２のコンタクト領域であって、ＰＣＢの第２の面によって嵌合する間、第１の経路に垂直である第２の経路に沿う方向に弾性的に移動できる前記第２のコンタクト領域と、
前記第２の装置の配線に電気的に嵌合する第３のコンタクト領域と
を備え、
前記ＰＣＢの電気的配線と第２の電気的装置の配線間で電気的な流れの経路を２つ少なくとも部分的に作るために、それぞれ第１と第２の面上に部分的に提供される前記ＰＣＢの配線と２点接触ができる、電気的コネクタ。
【請求項１５】
前記コネクタ間に電気的接点を与える第１と第２の電気的装置間の相互接続を提供するコネクタにあり、前記コネクタは、
少なくとも１つの導電要素を支持するハウジングを備え、前記導電要素は第１、第２、および基本コンタクト領域を含み、前記第１と第２コンタクト領域は前記基本コンタクト領域から離れる方向に延長した前記コネクタの脚上にそれぞれ提供され、
第１のコンタクト領域は第１の方向に、該ハウジングに対して弾性的に移動でき、第２のコンタクト領域は前記第１の方向に垂直な第２の方向に前記ハウジングに対して弾性的に移動でき、
前記第１と第２のコンタクト領域は、各コンタクト領域の歪みの方向に実質的に垂直であり且つ前記第１の電気的装置上で互いに電気的に接続する前記第１の電気的装置の表面上に設けられた配線に圧縮して嵌合および接続する、コネクタ。
【発明の詳細な説明】
【技術分野】
【０００１】
本発明は、例えば電子装置で一般に見られる２つの電気的な装置の電気的な接続を提供する電気的圧縮コネクタに関する。このＤＣＥＣ（２重コンタクト電気的圧縮）コネクタは、過度の振動あるいは突然の衝突による衝撃の下での電気的な切断をしないように設計されている。
【背景技術】
【０００２】
様々な種類の圧縮コネクタがよく知られている。さらに、２つの別個の装置の電気的な配線を接続するために高密度アプリケーションで使用されるコネクタも知られている。そのようなコネクタの非常に一般的な種類のものは圧縮コネクタと呼ばれ、そのような電気的装置の配線との接触を行うと同時に、電気的な装置の圧縮下で導電要素の脚を歪めることができる。そのような導電要素の区分された領域は、２つの装置間の電気的信号の流れを確立するために別の電気的装置と嵌合される。電気的装置と嵌合可能な導電要素の脚は、圧縮中の脚と電気的装置との相対的な移動によって元の自然な状態から歪められる。
【０００３】
通常は、電気的な装置はプリント回路板かカードであり、除去可能かまたはコネクタから外すことができる。電気的装置をコネクタに対して固定することにより脚が圧縮される一方で、コネクタは定位置に固定されたままでいるか、２つの固定された電気的装置またはボード間に挟まれて浮動するように、相対的な移動が行われる。代わりに、電気的な装置が脚に対してスライドしてもよく、動きの成分は圧縮方向に現れる。接続の最終形状は、いずれの形態の嵌合によるものであっても、１つがスライド圧縮によって確立され、他のものが純粋な圧縮による嵌合によって確立されること以外は同様である。
【０００４】
電気的な要素と嵌合しているアイテムは、衝撃または振動にしばしばさらされる。導電要素のアームは弾性的に移動可能であるため、そのような衝撃あるいは振動によって十分、導電要素は、それが弾性的にバイアスされている電気的なコンポーネントから外れてしまう。該アイテムは、例えば自動車電話あるいは他の消費者製品であり、ユーザによって落とされることもしばしばある。地面とアイテムとの衝突は、上記のようなコネクタとそれぞれの電気的装置が分離する原因として十分である。
【０００５】
衝撃負荷は各事例で1つの方角へ生じる傾向にあり、この方角は導電要素の脚の弾性移動の方向と一致するはずであり、脚は電気的装置に相対的に動くゆえに外れる。
【発明の開示】
【発明が解決しようとする課題】
【０００６】
従って、上述した欠点を克服するか、少なくとも公に有用な選択を提供する電気的圧縮コネクタを提供するのが本発明の目的である。
【課題を解決するための手段】
【０００７】
本発明の第１の形態は、第１の電気的装置と第２の電気的装置の回路の配線との間の接続を行う電気的コネクタであって、該第１の電気的装置は互いに平行でない２つの面を含む種類のもので、該２つの面の第１の面上には第１の導電パッド領域が配置され、該２つの面の第２の面上には第２の導電パッド領域が配置されており、前記第１と第２の導電パッド領域は互いに電気的に接続しており、上記電気的コネクタはハウジングと、該ハウジングによって支持される少なくとも１つの導電要素であって、第１の導電パッド領域と嵌合する第１のコンタクト領域と、第２の導電パッド領域と嵌合する第２のコンタクト領域と、前記第１と第２の導電パッド領域との電気的接続を生成するための第２の電気的装置の電気的配線と接触する第３のコンタクト領域とを含む導電要素を備え、該導電要素は、前記ハウジングによって支持されており、弾性的に可動に前記第１の導電パッド領域と圧縮嵌合する第１のコンタクト領域と、弾性的に可動に前記第２のパッド領域と圧縮嵌合する第２のコンタクト領域を少なくとも提供し、各第１と第２のコンタクト領域は離れる方向に可動であるが、前記コンタクト領域が嵌合する各パッド領域の方向へ弾性的にバイアスされている。
【０００８】
好ましくは前記第１のコンタクト領域は、第２のコンタクト領域が前記ハウジングに対して歪むことができる経路に非平行な経路に沿って、前記ハウジングに対して歪むことができる。
【０００９】
好ましくは、前記第１のコンタクト領域が弾性的に移動可能な経路は、前記第２のコンタクト領域が弾性的に移動可能な経路を実質的に横断する。
【００１０】
好ましくは、前記第１のコンタクト領域が弾性的に移動可能な経路は、前記第２のコンタクト領域が弾性的に移動可能な経路に対して実質的に垂直である。
【００１１】
好ましくは、前記導電要素は安全な方法でハウジングに嵌合できる固定領域を含み、（ａ）前記固定領域から離れた領域にまたはその方向に前記第１のコンタクト領域を含む第１の脚と、（ｂ）前記固定領域から離れた領域にまたはその方向に前記第２のコンタクト領域を含む第２の脚を有し、これらの脚は前記固定領域から弾性的に移動可能に配置されている。
【００１２】
好ましくは、第１のコンタクト領域は前記第１の脚によって、前記第１の導電パッドが第１の導電パッド領域の上方向への前記第１のコンタクト領域のわずかな動きにより前記第１のコンタクト領域上に押し込まれるような形で前記第１の導電パッド領域と嵌合するように配置され、および、第２のコンタクト領域は前記第２の脚によって、第２の導電パッド領域の上方向への前記第２のコンタクト領域の動きにより圧縮されて前記第２の導電パッド領域と嵌合するように配置される。
【００１３】
好ましくは、第１の電気的装置保持手段は前記ハウジングと固定して提供され、前記保持手段は、第１と第２のコンタクト領域がそれぞれ第１と第２の導電パッド領域と圧縮により嵌合することによって前記第２の電気的装置を保持するような形で、前記第２の電気的装置の少なくとも一部を受容できる。
【００１４】
好ましくは前記第１の電気的装置保持手段は、前記第１の導電パッド領域が前記第１のコンタクト領域の弾性的な移動の経路の方向と平行な方向において前記第１のコンタクト領域と嵌合する方向に進むことができ、および、前記第２の導電パッド領域が第二コンタクト領域に対してスライドするようにして該領域と嵌合する方向に進む（該進行は前記第２コンタクト領域の弾性的な移動の前記経路に沿った方向における該領域の移動も含む）ことができるような形で、前記第１の電気的装置の少なくとも一部を受容できる。
【００１５】
好ましくは前記第２の脚は、前記第２のコンタクト領域の歪みの経路に対して傾斜している領域を含み、これは、第２の面が非平行方向に移動できる傾斜を提供し、よって前記第２コンタクト領域は、前記第１の電気的装置が第２コンタクト領域と嵌合している間にその弾性的移動の経路に沿って外れる。
【００１６】
好ましくは前記第１と第２のコンタクトは、前記第１の脚の面が第２の脚の面に平行である面内の経路に沿ってそれぞれ動くことができる。好ましくは前記ハウジングは前記第２の電気的装置に永久的に取り付けられ、さらに解放可能に嵌合して前記第１の電気的装置を受容することができる。
【００１７】
好ましくは前記ハウジングは、第１と第２のコンタクト領域が対応する第１と第２の導電パッド領域とそれぞれ嵌合するように、離間して列状に配置された複数の導電要素を有する。好ましくは導電要素の形状は型押しされたシート金属材料からの面外への折り畳みによって定義される。
【００１８】
第２の態様としては、本発明は、ＰＣＢの電気的な配線と第２の電気的装置の配線との間で電気的接続を提供するために、シート金属材料で形成された電気的コネクタにある。前記電気的コネクタは、
第２の電気的装置に嵌合する搭載セクションから延長する第１の脚上に提供されるまたは該第一の脚により支持される第１のコンタクト領域であって、ＰＣＢの第１の面によって嵌合する間第１の経路に沿う方向に弾性的に移動できる前記第１のコンタクト領域と、前記搭載セクションから延長する第２の脚上に提供されるまたは該第一の脚により支持される第２のコンタクト領域であって、ＰＣＢの第２の面によって嵌合する間、第１の経路に垂直である第２の経路に沿う方向に弾性的に移動できる前記第２のコンタクト領域と、  前記第２の装置の配線に電気的に嵌合する第３のコンタクト領域とを備え、前記電気的コネクタは、前記ＰＣＢの電気的配線と第２の電気的装置の配線間で電気的な流れの経路を２つ少なくとも部分的に作るために、それぞれ第１と第２の面上に部分的に提供される前記ＰＣＢの配線と２点接触ができる。
さらなる態様としては、本発明は、前記コネクタ間に電気的接点を与える第１と第２の電気的装置間の相互接続を提供するコネクタにあり、前記コネクタは、少なくとも１つの導電要素を支持するハウジングを備え、前記導電要素は第１、第２、および基本コンタクト領域を含み、前記第１と第２コンタクト領域は前記基本コンタクト領域から離れる方向に延長した前記コネクタの脚上にそれぞれ提供され、第１のコンタクト領域は第１の方向に、該ハウジングに対して弾性的に移動でき、第２のコンタクト領域は前記第１の方向に垂直な第２の方向に前記ハウジングに対して弾性的に移動でき、前記第１と第２のコンタクト領域は、各コンタクト領域の歪みの方向に実質的に垂直であり且つ前記第１の電気的装置上で互いに電気的に接続する前記第１の電気的装置の表面上に設けられた配線に圧縮して嵌合および接続する。
【００１９】
本発明は概して、個々にまたは集合的に本出願明細書で参照または示される部品、要素および特徴と、２つ以上の該部品、要素および特徴の任意または全ての組み合わせにも関し、本発明が関連する技術分野の既知の等価物をここに組み込む。
【発明を実施するための最良の形態】
【００２０】
図１は導電要素１を示している。導電要素１は圧縮接続する種類のもの、つまり該導電要素が電気的に接続する少なくとも１つの電気的装置が圧縮されることにより該導電要素１の一部が弾性的に歪められる種類のものである。図１に示したような導電要素１は、例えば第１の電気的装置９と第２の電気的装置８に対して導電要素を支持するハウジング２と嵌合する。該ハウジングは例えば第２の電気的装置に搭載され、第１の電気的装置９は導電要素１と圧縮接続が形成できるようにするために移動できる。図３は導電要素１が領域３で嵌合したハウジング２を示している。領域３では導電要素１はハウジング２に対して実質的に固定したままである。導電要素１の先鋭部分４はハウジング２に対して領域３で導電要素１の保持を助けるために提供されている。しかし当業者ならば、ハウジング２への導電要素１の嵌合の多くの代替え形状があることを理解できるであろう。実際はいくつかの導電要素の場合、このような嵌合はある程度自由に動く。
【００２１】
ハウジング２は列状に配置された複数の導電要素を保持することができる。そのような複数の導電要素は、ハウジングによって作られる導電要素の列（図示しない）が効率的に形成されるようにＺ方向に離間して設置される。
【００２２】
図１および３に示された導電要素１は第１と第２のコンタクト領域５、６を含んでいる。第３のコンタクト領域７は第２の電気的装置と嵌合するために提供される。該導電要素の第３のコンタクト領域７は第２の電気的装置のリード端子、配線、またはパッド（以後導電パッド領域と称する）、または第２の電気的装置の電気的ワイヤに永久的に嵌合する。そのような接続ははんだ付けまたは圧縮接続等による。第２の電気的装置８は例えばプリント回路基板であり、ハウジング２は該プリント回路基板に固定して搭載される。もしくは例えば図５を参照して、第３のコンタクト領域７は圧縮接続して第２の電気的装置８に嵌合し、導電要素自体は第１および第２の電気的装置と一体またはそれらと一体に設置される装置全体の他の部分に嵌合する。
【００２３】
他の形態として、導電要素は、図４で示される例の場合、第２の電気的装置８に直接永久的に固定される。そのような永久的な接続ははんだ付け、または他のあるいは付加的な固定手段により行われる。しかしながらこれは、導電要素は搭載可能なハウジングを含むユニットの部分として提供されるのが好ましいので、好適ではない。図４はそのような他の実施例の図である。ここで、第３のコンタクト領域は第２の電気的装置に直接固定されているが、これは第２の電気的装置８と共に導電要素の接続の最も望まれる形状である必要はない。
【００２４】
導電要素の第１と第２のコンタクト領域（５、６）は好ましくは、所望の形状を定義するために折りたたむことができる形状に型押しされたシート金属から形成される。折り畳まれた導電要素の所望の形状は、第１と第２の導電領域（５、６）のそれぞれが第１の電気的装置９の第１（１０）と第２（１１）の導電パッド領域と接触することができるような形状である。
【００２５】
そのような第１と第２の導電パッド領域１０、１１は第１と第２のコンタクト領域と嵌合し、ここでこれらパッドの表面は好ましくは互いに実質的に垂直な方向に突出する。第１と第２の導電パッド領域１０、１１はゆえに第１の電気的装置の面に嵌合し、互いに実質的に垂直である。これは例えば図２〜６に見られる。第１の面１２は例えば第１の電気的装置の主要な面の一つである（例えば第１の電気的装置はプリント回路基板である）。第１の導電パッド領域１０は、導電要素の第１のコンタクト領域が嵌合できるような領域内で、主要な面１２の一部に延長している。圧縮の間、第１のコンタクト領域５はＹ軸の経路に沿った方向に歪む。これは第１の電気的装置９が導電要素と嵌合される方向である。
【００２６】
第１のコンタクト領域５の圧縮は、導電要素の固定された部分４とハウジング２に対して起こり、それらの嵌合が発生する。よって第１のコンタクト領域５はＹ軸の経路に沿って先鋭部分４の反対方向にバイアスされ、第１の電気的装置９の第１の導電パッド領域１０に抗して押圧される。第１のコンタクト領域５は導電要素により提供され、導電要素の脚１４の端部にまたはその方向に配置されてＹ軸方向の経路に沿って歪められるように提供される。図１を参照して見られるように、導電要素の好ましい形状は二股であり、第１のコンタクト領域５を含む第１の脚１４と、好ましくは第２の脚１５の端にまたはその方向に第２のコンタクト領域６を含む第２の脚１５を提供する。
【００２７】
該脚は、それらと第１の電気的装置との嵌合が歪みを引き起こすように導電要素の残りの部分から延長し、脚／導電要素の曲げ力、形状およびサイズにより第１の電気的装置の方向に逆戻りして適切にバイアスされている。
【００２８】
第１の電気的装置９の導電要素との嵌合の間、第１のコンタクト領域５は実質的にＹ方向の経路に沿って移動する。第２の脚１５は、第１の電気的装置の移動の間Ｙ方向の経路に沿うように構成されている。第２のコンタクト領域は実質的にＸ軸方向に延長する経路に沿って移動する。好ましくは脚６は、導電要素と嵌合するためにＹ方向の経路に沿って移動される時第１の電気的装置の面１３により移動することができるカム表面として作用するリップ１６を含む。Ｙ方向に非平行に上向きに電気的装置から離れる方向に角度をつけられているリップ１６は、第２のコンタクト領域６のスライド嵌合を可能にし、それにより同時に第２のコンタクト領域６をＸ方向の経路に沿って移動させる。完全に嵌合した時、第２のコンタクト領域は、第１の電気的装置９の第２の導電パッド領域１１の方向にバイアスされる。このようなバイアスはＸ方向であり、第１のコンタクト領域のバイアス方向に垂直である。
【００２９】
第１と第２の導電パッド領域（１０、１１）は好ましくは、互いに接近する第１の電気的装置の面（１２、１３）の領域に位置している。好ましくはそのような領域は互いに隣接しており、実際は第１と第２の導電パッド領域（１０、１１）は互いに直接電気的に接触している。これは例えば図２、３に見られ、第１と第２の導電パッド領域は面１２と１３の間の端部に延長して形成されている。
【００３０】
しかしながら、第１と第２の導電パッド領域は互いに電気的に接続しているべきではあるが、必ずしも上述のように直接的に提供される必要はないことは理解されるであろう。図２を参照すると、プリント回路基板９の電気的リード線２７は、導電パッド領域１０から離れて、適切な目的のために他の領域（図示しない）に延長している。好ましい構成では、ハウジングは導電要素の列を提供でき、プリント回路基板９はハウジングにより搭載されるように該ハウジング（およびおそらく装置全体の他の要素）と嵌合でき、よって各導電要素の第１と第２のコンタクト領域（５、６）と各列の第１と第２の導電パッド領域が嵌合する。
【００３１】
各導電要素はプリント回路基板の回路と、第１と第２の導電パッド領域（１０、１１）の２点電気的接触を形成する。第１と第２のコンタクト領域（５、６）それぞれのバイアスの方向は異なる方向（好ましくは垂直な方向）である。一方向からかかるのが一般的な任意の衝撃負荷により、コンタクト領域の１つが導電パッド領域から外れてしまう。しかしながらこの方向は他のコンタクト領域の歪みの方向に平行でないかほぼ平行でないので、他のコンタクト領域は導電パッド領域と接続したままである。
【００３２】
第１と第２のコンタクト領域（５、６）の歪みは共にＸ−Ｙ平面内で起こり、その平面内では、面外での折り畳みにより導電要素が形成されている。導電要素の主要な面の実質的にすべてが、Ｚ方向に実質的に平行なまま残り、および導電要素はＸ−Ｙ平面の外の空間をほとんど占めず、これは該要素が高密度アプリケーションで用いられる時有利である。
【００３３】
図２および３に示したような形態では導電要素の２つの列が提供されており、第１の電気的装置は、導電要素との嵌合のためにＹ方向に沿った経路で単に移動することができる。ＰＣＢは２つの穴（好ましくは伸長した穴）を有し、そこには小さな端部面１３が提供され、該面には第２の導電パッド領域の列が図２に示したように提供される。第２のコンタクト領域は互い対してバイアスするように配置される。この構成は替わりに、１つの穴を提供してもよく、該穴の２つの対向する端部に沿って２列の導電要素がそれぞれ嵌合してもよい。そのような構成では２つのコンタクト領域は互いに離れる方向にバイアスされる。
さらに他の形態では、第１の電気的装置の動きはＸ方向、またはＸ、Ｙ両方向の経路に沿ったものであってよい。
【００３４】
図１、４および５を参照して、２つの脚を定義する導電要素の分岐は、導電要素の基礎領域４の一方向から現れる。しかしながら図６を参照すると、該分岐は脚１４、１５が基礎部４から反対の方向に延長するように提供されている。
【００３５】
導電要素は好ましくは銅の合金である。確立された嵌合は、極度の振動または衝突による衝撃下で回路が開放する可能性を除去するとまではいかなくても極度に減少させ、連続的な電流の流れを可能にする。
【図面の簡単な説明】
【００３６】
【図１】図１は本発明の好ましい形状の導電要素の斜視図である。
【図２】図２は分離した導電要素がそれぞれ嵌合する、複数の第１と第２の導電パッド領域を示している第１の電気的装置の斜視図である。
【図３】図３は導電要素を支えるハウジングを通る断面図であり、導電要素と第１の電気的装置間の導電接続が示されている。
【図４】図４は第１と第２の電気的装置（ハウジングは図示しない）を通る断面図であり、導電要素が第１の電気的装置の第１および第２の導電パッド領域と電気的に接続し、実質的に非圧縮で第２の装置と接続する。
【図５】図５は、導電要素がアセンブリ全体の他の部分に対して静止して搭載されており、第１の電気的装置と第２の電気的装置の両方と圧縮嵌合している断面図である。
【図６】図６は本発明の導電要素の他の実施例の概略図である。
【図７】図７は図４の導電要素がハウジング内に収容されている概略図である。
【図８】図８は本発明の構成をハウジングにどのように搭載して、２重圧縮コネクタを提供するかを示している。
【図９】図９は第２の電気的装置を貫通した搭載により接続している様子を示している。
【外国語明細書】
2004172128000001.pdf